(57)【要約】【課題】クロスバーが取り外されている部位では、メインバーに設けられたクロスバー接続のための切欠部が開口した状態で見える状態に残るので、見栄えを低下させた。【解決手段】側面部分に切欠部５を有する第一バー（３）と、端部を前記切欠部５に係らせて前記第一バー（３）に接続される第二バー（４）と、これら第一バー（３）及び第二バー（４）によって構成されるグリッドＧに装着される天井パネル２とを備えてなるものにおいて、第一バー（３）及び第二バー（４）のいずれもが接続されていない第一バー（３）の切欠部５に、第一バー（３）の側方のみから装脱可能なカバー８を備える構成である。【選択図】図１０
2004353368.tif 000002
【特許請求の範囲】
【請求項１】
側面部分に切欠部を有する第一バーと、端部を前記切欠部に係らせて前記第一バーに接続される第二バーと、これら第一バー及び第二バーによって構成されるグリッドに装着される天井パネルとを備えてなるものにおいて、第一バー及び第二バーのいずれもが接続されていない第一バーの切欠部に、第一バーの側方のみから装脱可能なカバーを備える天井システム。
【請求項２】
カバーが、切欠部に装着された状態からの抜け落ちを阻止するストッパ部を備える請求項１記載の天井システム。
【請求項３】
ストッパ部が、カバーの両側部に設けられて切欠部の対向する側縁と係り合う凹部からなる請求項２記載の天井システム。
【請求項４】
切欠部の内側方向にカバーが移動することを禁止する禁止部を備える請求項１、２又は３記載の天井システム。
【請求項５】
禁止部が、切欠部の下面に第一バーの側方に向かって拡大する関連開口と、カバーに設けられて関連開口に係り合う関連段部とからなる請求項４記載の天井システム。
【請求項６】
カバーが、第一バーの下面とほぼ面一に下面を保つ支持片を備える請求項１、２、３、４又は５記載の天井システム。
【発明の詳細な説明】
【０００１】
【発明の属する技術分野】
本発明は、天井面を形成する天井パネルを装着して天井を構成する天井システムに関するものである。
【０００２】
【従来の技術】
従来、この種の天井システムとしては、例えば特許文献１に記載のもののように、断面が逆Ｔ字型のパネル固定部材を、縦横に建築天井面である天井スラブから吊り下げて格子状の天井フレームを形成し、その天井フレームに天井パネルを装着したものが知られている。
【０００３】
天井フレームは、例えば、パネル固定部材からなるメインバーとクロスバーとにおいて、メインバーを所定の間隔で吊り下げ、それぞれのメインバーをクロスバーにより連結して格子状にして形成するものである（例えば特許文献２）。このように、メインバーとクロスバーとを格子状に形成するに際して、メインバーに切欠部を設け、その切欠部にクロスバーに先端を嵌め合わせるようにして、メインバーとクロスバーとを連結している。
【０００４】
【特許文献１】
特開２００３−０４１７２号公報
【特許文献２】
特開２００３−０４１７５号公報
【０００５】
【発明が解決しようとする課題】
ところで、形成された天井フレームの各グリッドには天井パネルが装着されるものであるが、例えば二つのグリッドにまたがる比較的長い照明灯（蛍光灯）を取り付ける場合に、その取付位置に対応する部位の天井パネルを取り外し、かつクロスバーを取り外して通常の天井パネル２枚分の天井パネルを装着し、その天井パネルに照明灯を取り付ける必要がある。
【０００６】
このように、クロスバーを取り外すと、メインバーには取り外したクロスバーが係合する切欠部が露出して下側から見えるものとなる。このため、設計段階でクロスバーを使用しない部位が判明している場合、その部分に切欠部が形成されていないメインバーを別途に準備して使用することになる。したがって、天井の形態に合わせて各種のメインバーを用意しなければならず、メインバーの標準化を困難にしていた。
【０００７】
そこで本発明は、以上のような問題に鑑みて、クロスバーを装着しない部分のメインバーの外観を向上させる構成の天井システムを提供することを目的とする。
【０００８】
【課題を解決するための手段】
すなわち、本発明の天井システムは、側面部分に切欠部を有する第一バーと、端部を前記切欠部に係らせて前記第一バーに接続される第二バーと、これら第一バー及び第二バーによって構成されるグリッドに装着される天井パネルとを備えてなるものにおいて、第一バー及び第二バーのいずれもが接続されていない第一バーの切欠部に、第一バーの側方のみから装脱可能なカバーを備える構成である。
【０００９】
このような構成によれば、第一バーの切欠部に第一バー及び第二バーのいずれもが接続されない場合に、その切欠部にカバーが装着されるので、切欠部が目立たなくなる。カバーを装着する場合、カバーは第一バーの側方のみからしか装着できないので、装着作業に慣れていなくても装着に失敗することがない。そして、第一バーが天井パネル間に露出していても切欠部が目立たないので、天井を見上げた場合に開放されて点在する切欠部がなく、見栄えを向上させることが可能となる。
【００１０】
カバーは切欠部に装脱が可能であるので、施工後に変更が生じた場合に、切欠部に装着されたカバーをグリッドを変更することなく取り外して、その切欠部に第一バーを接続することが可能である。それゆえ、施工後の改造を容易にすることができる。
【００１１】
カバーの装着を確実なものにするためには、カバーが、切欠部に装着された状態からの抜け落ちを阻止するストッパ部を備えるものが好ましい。このようなストッパ部としては、カバーの両側部に設けられて切欠部の対向する側縁と係り合う凹部からなるものが好適である。
【００１２】
第一バーの側方のみから装脱可能とするには、切欠部の内側方向にカバーが移動することを禁止する禁止部を備えるものが好ましい。このような禁止部としては、切欠部の下面に第一バーの側方に向かって拡大する関連開口と、カバーに設けられて関連開口に係り合う関連段部とからなるものが好適である。このような構成によれば、関連開口は第一バーの側方に向かって拡大するので、装着する場合には縮小する関連開口にカバーの関連段部が係り合い、逆に取り外す場合には関連開口が拡大する方向であるので、装脱を容易にすることが可能になる。
【００１３】
カバーの装着を容易にし得るようにするとともに、カバーを装着した場合の見栄えをよくするためには、カバーが、第一バーの下面とほぼ面一に下面を保つ支持片を備えるものが好ましい。
【００１４】
【発明の実施の形態】
以下、本発明の一実施形態を、図面を参照して説明する。
【００１５】
この天井システムＳは、天井フレーム１に天井面を構成する複数の天井パネル２を装着してなるものである。天井フレーム１は、図示しない天井スラブにほぼ平行となる仮想面上に位置するよう吊り下げられた複数の第一バーであるメインバー３と、これらメインバー３間に配置される第二バーであるクロスバー４とからなる。図１は、天井システムＳを下方から見た部分的な斜視図を示したものであり、図２は、天井システムＳの天井フレーム１を下方から見た平面図であり、図３は、メインバー３の長手方向と直交する面で切断した様子を示した図である。また、天井システムＳを有するスペースを構成しメインバー３及びクロスバー４を側端部において支持する壁Ｗは想像線で示している。また、以下において、図４におけるメインバー３に対してクロスバー４が配置された方を手前側（図中Ｆ）、その反対側を裏側（図中Ｒ）として説明している。なお、図２は紙面の都合上、グリッドＧ、２Ｇ、４Ｇがメインバー３及びクロスバー４の幅に比較して小さく図示してある。
【００１６】
天井パネル２は、平面視例えば正方形をした平板状のものを標準形として、天井フレーム１を構成するメインバー３とクロスバー４とにより形成されたグリッドＧの内側に嵌め込まれるようにして、パネル取付部材Ｐにより下向きに押さえ込まれた状態で天井フレーム１に取り付けられる。この天井パネル２は、メインバー３とクロスバー４との形状に対応して、その側面に段部２１を有している。段部２１を備えていることにより、天井パネル２は、その下面２２の一辺の寸法が上面２３の一辺の寸法より小さくなっている。なお、上記したように、正方形状のものを標準形として、例えば長尺の照明を取り付けるために、標準形の二倍の大きさのもの、さらには標準形の四倍の大きさのものも準備してあるものである。また、天井パネル２は、空調用噴き出し口、空調用吸い込み口、防災スピーカ、感知器などを組み込んだものでもよい。
【００１７】
メインバー３は、図３及び図４にその断面を示したように、板金を折り曲げ加工し等断面形状を有するように成形された長尺なもので、適宜位置を、天井スラブにボルトＶによって固定されたメインバー支持部材Ａによって吊り下げられるように支持されるとともに、その側端部を、図示しない壁に縁部用ブラケットを利用した取付手段を介して取り付けられているものである。
【００１８】
このメインバー３は、具体的には、図４に示したように、頭部３１と、この頭部３１の下方に位置する面板部３２と、この面板部３２の下方に位置する底部３３とを一体に形成してなるものである。頭部３１は、側断面形状がロ字状をなすように形成されたもので、その折り曲げられた形状によってメインバー３に強度を付与するとともに、メインバー支持部材ＡのアームＡ１（図３に示す）に挟み込まれ、メインバー支持部材Ａに保持される被保持部としての機能を有するものである。
【００１９】
面板部３２は、鉛直に起立する面板３２１、３２２を重ねた２重構造をなすものである。この面板部３２には、クロスバー４を接続する際の係合爪６が係り合う係合孔７が設けてある。この係合孔７は、メインバー３の手前側に接続されるクロスバー４の係合爪６と裏側に接続されるクロスバー４の係合爪６とが係り合える幅寸法を有するものである。
【００２０】
底部３３は、面板部３２から略水平方向に沿って手前側及び裏側に突出する上壁部３３１とこの上壁部３３１から連続して下方に略鉛直方向に沿って突出する起立壁部３３２と、この起立壁部３３２の下端から内側に突出する底壁部３３３と、その底壁部３３３の内側先端部から起立する内壁部３３４とを備えるものである。そして、内壁部３３４間に下方に開口する溝部３Ｍを形成しており、この溝部３Ｍと前記底壁部３３３と内壁部３３４とによって、オプション物を取り付け可能なオプション物取付部としての機能が発揮されるものである。加えて、係合孔７に対応して、底部３３には切欠部５が形成してある。
【００２１】
切欠部５は、図４及び図５に示すように、メインバー３の側面部分を構成する底部３３の起立壁部３３２、下面部分を構成する底壁部３３３、及び内壁部３３４を切り欠いて、標準形の天井パネル２の一辺の長さに対応する所定の間隔をあけて形成されている。つまり、切欠部５は、メインバー３の底部３３の側面部分と下面部分と内面部分とにおいて開口するものである。そして、底壁部３３３における関連開口５１は、起立壁部３３２の位置で内法が最大となり、かつ内壁部３３４の位置で内法が最小となる。言い換えれば、関連開口５１は、切欠部５の内側方向にカバー８が移動することを禁止する禁止部を構成するものであって、メインバー３の側方に向かって拡大する内法を有し、この実施形態にあってはテーパ形状をしている。これに対して、起立壁部３３２における側面開口５２は、関連開口５１の最大の内法と等しい横幅寸法で、かつ内壁部３３４の高さ寸法とほぼ等しい高さ寸法を有している。
【００２２】
このような切欠部５に対して、メインバー３の側方のみから装脱可能なカバー８を備えている。カバー８は、弾性変形可能な合成樹脂製で、図６〜９に示すように、切欠部５に嵌め込まれるカバー本体８１と、カバー本体８１の底部３３内側への移動を禁止する支持片８２とを備えている。
【００２３】
カバー本体８１は、両側面８１ａが互いに接近するようにテーパ状に形成されたほぼ直方体形状をしており、その下面に切欠部５の関連開口５１に対応する関連段部であるテーパ部８１ｂと、前面８１ｃと側面８１ｂとの交わる隅部に設けられて切欠部５の起立壁部３３２にある側面開口５２に係り合うストッパ部である凹部８１ｄとを備えている。カバー本体８１は、側面８１ａが相寄るように傾斜しているため、カバー本体８１の前面８１ｃの幅寸法がほぼ切欠部５の側面開口５２の幅寸法とほぼ同じであるとともに、後面８１ｅの幅寸法が前面８１ｃの幅寸法より小さくなっている。テーパ部８１ｂは、カバー本体８１の下面８１ｆに、底部３３の板金厚みに対応して形成された段差によりに形成されるものである。テーパ部８１ｂの後縁部分８１ｂａは、切欠部５へ嵌める場合にカバー本体８１が円滑に切欠部５内に移動するように、面取りが施してある。このように、面取りを施すことにより、テーパ部８１ｂの後縁部分８１ｂａが案内面として機能する。凹部８１ｄの寸法は、底部３３の板金厚みに対応しており、カバー８が切欠部５に装着された場合に、カバー本体８１の前面８１ｃが起立壁部３３２とほぼ面一となるように設定されている。
【００２４】
支持片８２は、その後面８２ａをカバー本体８１の後面８１ｅと面一にするのではなく、カバー本体８１の後面８１ｅから底部３３の板金厚み分だけ後方にはみ出して形成されている。又、支持片８２は、その上端から下端までの長さ、言い換えればその高さ寸法を、底部３３の内法高さに等しく設定してある。このように支持片８２を形成することにより、カバー８を切欠部５に嵌め込んだ場合に、支持片８２の後面８２ａが底部３３の内壁部３３４の溝部３Ｍ側の面とほぼ面一となるとともに、カバー本体８１の下面８１ｆを底部３３の下面とほぼ面一にするものである。
【００２５】
クロスバー４は、メインバー３と同種の板金を素材として所定の長さにしてあり、その断面形状がメインバー３と同一形状をなし、メインバー４よりその長手方向の幅寸法が小さく設定されたもので、頭部４１と、面板４２１、４２２とからなる面板部４２と、上壁部４３１と起立壁部４３２と底壁部４３３と内壁部４３４とから構成されている底部４３とを備えてなる。底部４３の先端部は、切欠部５の関連開口５１の形状に対応して、平面形状において、先端に向かって幅が縮小するテーパ形状に形成してある。そして、この底部４３は、メインバー３の底部３３に形成される溝部３Ｍにほぼ直交する溝部４Ｍを形成してオプション物取付部としての機能を有している。
【００２６】
このような構成において、メインバー３とクロスバー４とが切欠部５の位置において接続され、標準形の天井パネル２が装着されるグリッドＧが形成されるとともに、例えば標準形の天井パネル２のほぼ２枚分の大きさの天井パネルを装着するように所定位置のクロスバー４をメインバー３に接続しない二倍大グリッド２Ｇ、さらには二倍大グリッド２Ｇの二倍の面積の四倍大グリッド４Ｇが形成されるものである。なお、二倍大グリッド２Ｇは、メインバー３間のクロスバー４を取り除くことにより形成されるが、四倍大グリッド４Ｇは、グリッド中央に位置することになるメインバー３Ａを切断するとともに、切断したメインバー３Ａに接続されていた二本のクロスバー４に代えてクロスバー４の約二倍の長さに調整されたメインバー３Ｂにより、切断したメインバー３Ａに隣り合うメインバー３を接続して形成するものである。したがって、四倍大グリッド４Ｇは、メインバー３と所定長のメインバー３Ｂとにより形成されるものである。
【００２７】
このようなグリッドＧ、２Ｇ、４Ｇを有する天井フレーム１に対して、天井パネル２は、メインバー３の底部３３の上壁部３３１及びクロスバー４の底部４３の上壁部４３１に段部２１が乗るようにして、しかも頭部３１に被せられて面板部３２の両側方に位置するパネル取付部材Ｐにより押されて、メインバー３とクロスバー４との間に取り付けられるものである。このように、天井パネル２を取り付けると、メインバー３の底部３３の起立壁部３３２は天井パネル２の段部が接触するものである。したがって、メインバー３の底部３３に設けられる切欠部５の側面開口５２は、天井パネル２により塞がれるものであるが、底壁部３３３の関連開口５１は塞がれないので、二倍大グリッド２Ｇ及び四倍大グリッド４Ｇにおけるメインバー３，３Ｂにおける所定長さに調整されたメインバー及びクロスバー４のいずれもが係り合わない切欠部５にはカバー８を嵌め込むものである。
【００２８】
カバー８の切欠部５への装着は次のようにして行う。
【００２９】
カバー８は、カバー本体８１の下面８１ｆを下に向けて、かつ前面８１ｃを手前つまり切欠部５に背向するようにして保持する。次に、切欠部５にカバー８を傾けてその支持片８２を挿入する。そして、支持片８２を切欠部５内に位置させた状態で、支持片８２とカバー本体８１との境界部分を切欠部５の側面開口５２の上縁に接触させ、上縁を回転の中心とするようにして、回転させるようにしてカバー本体８１を切欠部５の内側方向に向かって押す。カバー本体８１は、その後面８１ｅの幅寸法が切欠部５の側面開口５２の幅寸法より小さいので、後面８１ｅが側面開口５２を通過した後、カバー本体８１の側面８１ａが側面開口５２の側縁と接触しながら、内部に移動する。
【００３０】
このようにしてカバー本体８１を切欠部５に押し込むと、両側面８１ａに連続する両隅部の凹部８１ｄの手前で幅寸法が最大となるので、その位置からさらに強く押し込むとカバー本体８１が弾性変形して最大幅寸法部分が側面開口５２を通過し、側面開口５２の側縁と凹部８１ｄとが係り合う。この押し込み動作において、側面開口５２の側縁と凹部８１ｄとが係り合う時に、切欠部５の関連開口５１にカバー本体８１のテーパ部８１ｂが係り合う。このため、カバー本体８１に弾性変形を生じさせる力で押し込んでも、テーパ部８１ｂの係り合いによりカバー本体８１の移動が制限され、カバー８が切欠部５の装着されるものとなる。つまり、カバー８は、メインバー３の外側したがって切欠部５の外側方からその内側に向かってのみ装着し得るものとなるものである。
【００３１】
このようにしてカバー８が切欠部５に装着されると、図１０及び図１１に示すように、メインバー３の底部３３の側面とカバー８の前面８１ｃとが、また底部３３の下面とカバー３の下面８１ｆとがそれぞれほぼ面一になるので、天井を見上げた場合に切欠部５が目立たなくなる。すなわち、クロスバー４を接続していない部位において、切欠部５の関連開口５１が開放されていないので、天井フレーム１の他の部位と異質に見えないために見栄えを向上させることができる。又、装着されたカバー８は、支持片８２によりカバー本体８１が底部３３内に移動することを規制されているので、底部３３の下面とカバー３の下面８１ｆとがほぼ面一の状態を維持することができる。しかも側面開口８２の側縁に、カバー本体８１の凹部８１ｄが係り合っているので、抜け落ちを防止することができる。
【００３２】
加えて、切欠部５を有するメインバー３を標準化することができる。すなわち、切欠部５はクロスバー４を接続しない場合にカバー８により閉鎖するので、天井フレーム１におけるグリッドＧの大きさが全て標準となる天井パネル２に対するものでない場合でも、その部分専用のメインバー３を準備する必要がなくなる。このことは、あるメインバー３に対してクロスバー４が接続されない切欠部５が少なくとも１カ所ある場合でも、全ての切欠部５にクロスバー４を接続するものと同一のものを使用することができることを意味する。したがって、メインバー３を標準化することができ、よって商品管理を簡素化することができる。
【００３３】
又、天井パネル２を、正方形の標準形のものではなく、標準形２枚の大きさのもののみで構成する場合であっても、標準形の天井パネル２に合わせて形成された切欠部５を有するメインバー３を使用することができる。つまり、このような標準形の２倍寸の天井パネル２を全面に使用するものでも、使用しない切欠部５にはカバー８が嵌められる。したがって、見かけ上は、このような天井パネル専用のメインバーを使用したものと等しくなるので、特注品のメインバーを使用することなく同等の外観にすることができる。しかもその一部に標準形の天井パネル２を使用する場合、切欠部５からカバー８を取り外し、その位置にクロスバー４を接続することにより仕様変更が行えるので、設計変更などに柔軟に対応することができる。
【００３４】
なお、本発明は上記実施形態に限られるものではない。
【００３５】
例えば、切欠部５の関連開口５１及びカバー８のテーパ部８１ｂは、上記実施形態において説明したテーパ形状以外に、階段状に形成するものであってもよい。
【００３６】
又、切欠部５の内側方向にカバー８が移動することを禁止する禁止部としては、切欠部５の近傍の底壁部３３３の内面に設けられた凸部又は凹部と、カバー８のカバー本体８１の下面に設けられた凹部又は凸部とで構成され、凹凸係合によりカバー８の移動を禁止するものであってもよい。
【００３７】
その他、各部の具体的構成についても上記実施形態に限られるものではなく、本発明の趣旨を逸脱しない範囲で種々変形が可能である。
【００３８】
【発明の効果】
本発明は、以上説明したような形態で実施され、以下に記載されるような効果を奏する。
【００３９】
すなわち、本発明の本発明の天井システムは、側面部分に切欠部を有する第一バーと、端部を切欠部に係らせて第一バーに接続される第二バーと、これら第一バー及び第二バーによって構成されるグリッドに装着される天井パネルとを備えてなり、第一バー及び第二バーのいずれもが接続されていない第一バーの切欠部に、第一バーの側方のみから装脱可能なカバーを備えるので、第一バーの切欠部に第一バー及び第二バーのいずれもが接続されない場合に、切欠部を目立たなくすることができる。この場合に、カバーは第一バーの側方のみからしか装着できないので、装着作業に慣れていなくても装着に失敗することを防止することができる。加えて、第一バーが天井パネル間に露出していても切欠部が目立たないので、天井を見上げた場合に開放されて点在する切欠部がなく、見栄えを向上させることができる。
【図面の簡単な説明】
【図１】本発明の一実施の形態を下から見上げた場合の斜視図。
【図２】同実施の形態の天井フレームを下から見た平面図。
【図３】同実施の形態の天井フレームの要部を拡大して示す側面図。
【図４】同実施の形態の天井フレームの要部を拡大して示す斜視図。
【図５】同実施の形態のメインバーの切欠部を拡大して示す側面及び底面図。
【図６】同実施の形態のカバーの正面図。
【図７】同実施の形態のカバーの底面図。
【図８】同実施の形態のカバーの背面図。
【図９】同実施の形態のカバーの側面図。
【図１０】同実施の形態のカバーと切欠部とを拡大して示す底面図。
【図１１】同実施の形態のカバーが取り付けられている切欠部の断面図。
【符号の説明】
１…天井フレーム
２…天井パネル
３…メインバー
４…クロスバー
５…切欠部
Ｇ…グリッド
【図１】
2004353368.tif 000003
【図２】
2004353368.tif 000004
【図３】
2004353368.tif 000005
【図４】
2004353368.tif 000006
【図５】
2004353368.tif 000007
【図６】
2004353368.tif 000008
【図７】
2004353368.tif 000009
【図８】
2004353368.tif 000010
【図９】
2004353368.tif 000011
【図１０】
2004353368.tif 000012
【図１１】
2004353368.tif 000013